(57)【要約】【課題】装飾用リング等の部品とカバーとの接触により生ずるビビリ音を抑えることのできる電子機器を提供する。【解決手段】本発明に係る電子機器は、ケース３０と、前記ケースに載置され、周面の少なくとも一部に鍔部６４の形成された部品６０と、前記ケースに装着されるカバー２０であって、前記部品を臨出させる開口２２を有し、少なくとも前記開口の周縁が弾性を有する部材２８から形成され、前記開口の前記周縁によって、前記部品の鍔部を前記ケースに向けて押圧する、カバーと、を具える。【選択図】図３
2015186179.tif 000002
【特許請求の範囲】
【請求項１】
ケースと、
前記ケースに載置され、周面の少なくとも一部に鍔部の形成された部品と、
前記ケースに装着されるカバーであって、前記部品を臨出させる開口を有し、少なくとも前記開口の周縁が弾性を有する部材から形成され、前記開口の前記周縁によって、前記部品の鍔部を前記ケースに向けて押圧する、カバーと、
を具える、電子機器。
【請求項２】
前記ケースには、音声出力用のレシーバモジュールが搭載される、
請求項１に記載の電子機器。
【請求項３】
前記弾性を有する部材は、エラストマーである、
請求項１又は請求項２に記載の電子機器。
【請求項４】
前記カバーは、硬質樹脂とエラストマーとの二色成形により作製され、前記開口の周縁は、エラストマーにより構成される、
請求項３に記載の電子機器。
【発明の詳細な説明】
【技術分野】
【０００１】
本発明は、スマートフォンや携帯電話機、携帯型音楽プレーヤなどの電子機器に関するものである。
【背景技術】
【０００２】
スマートフォン、携帯電話機、携帯型音楽プレーヤ、携帯型ゲーム機などの電子機器にカメラモジュールや、スピーカの如き音声出力用のレシーバモジュールを内蔵したものが知られている。そして、これら電子部品の搭載されるケースを化粧カバーや蓋体などのカバーで覆っている。
【０００３】
これら電子機器として、カメラモジュールの透明保護パネルの外周に装飾用リングを装着したものが提案されている（たとえば特許文献１参照）。特許文献１の電子機器では、装飾用リングはケースに装着されており、カバーは、装飾用リングの臨出する開口を有し、この開口の周縁が装飾用リングに形成された鍔部と当接している。
【０００４】
レシーバモジュールは、ケースに配置され、カバー又はカバーに形成された通音孔を通じて外部に音声出力する。
【先行技術文献】
【特許文献】
【０００５】
【特許文献１】特開２００７−１５５８４９号公報
【発明の概要】
【発明が解決しようとする課題】
【０００６】
カバーは、ポリカーボネート等の硬質樹脂で作製されているから、レシーバモジュールから出力される音声によってカバーが振動する。その結果、振動するカバーと装飾用リングとが接触することで所謂ビビリ音を発生することがある。特にレシーバモジュールとカメラモジュールの位置が近い場合にビビリ音が発生し易い。また、装飾用リングをケースに両面テープで貼着した電子機器では、両面テープに水分等が付着したり経時劣化等によって、その貼着力が低下すると、装飾用リングがぐらついてしまうため、ビビリ音が発生し易くなる。
【０００７】
本発明の目的は、装飾用リング等の部品とカバーとの接触により生ずるビビリ音を抑えることのできる電子機器を提供することである。
【課題を解決するための手段】
【０００８】
本発明に係る電子機器は、
ケースと、
前記ケースに載置され、周面の少なくとも一部に鍔部の形成された部品と、
前記ケースに装着されるカバーであって、前記部品を臨出させる開口を有し、少なくとも前記開口の周縁が弾性を有する部材から形成され、前記開口の前記周縁によって、前記部品の鍔部を前記ケースに向けて押圧する、カバーと、
を具える。
【発明の効果】
【０００９】
本発明に係る電子機器によれば、ケースに載置される部品は、エラストマーの如き弾性を有する部材によってケースに押し付けられる。弾性を有する部材は、たとえば内蔵されるレシーバモジュールにより出力される音声により振動し難いから、前記部品との間でビビリ音が生ずることを抑えることができる。
【図面の簡単な説明】
【００１０】
【図１】図１は、本発明の一実施形態に係る電子機器を背面側から見た斜視図である。
【図２】図２は、図１の線II−IIに沿う断面図である。
【図３】図３は、図２の丸囲み部IIIの拡大図である。
【発明を実施するための形態】
【００１１】
以下、本発明の一実施形態について、図面を参照しながら説明を行なう。
本発明を適用可能な電子機器１０として、スマートフォンなどの携帯電話機、タブレット型コンピュータ、ＰＤＡ（Personal Digital Assistant）、携帯型音楽プレーヤ、ノート型パソコン、ゲーム機、腕などに装着するウェアラブルタイプの電子機器などを例示することができる。以下では、本発明をスマートフォンに適用した実施形態について説明する。
【００１２】
図１は、本発明の一実施形態に係る電子機器１０を背面側から見た斜視図、図２は、図１の線II−IIに沿う断面図である。本実施形態では、電子機器１０は、概観視図１に示すように、背面のカバー２０からカメラモジュール５０の透明保護パネル５２と、その周囲を囲う装飾用リング６０、カメラモジュール５０に隣接して、撮影用又は簡易照明用のライトモジュール７０の導光パネル７２が臨出している。そして、カバー２０は、ビス１８によって図２に示すカバー２０内のケース３０に固定されている。
【００１３】
図２に示すように、電子機器１０は、種々の電子部品を内部に収容したケース３０と、ケース３０の背面及び側面を覆うカバー２０、ケース３０の正面の一部及び側面を覆うフロントカバー４０を具える。
【００１４】
ケース３０には、電子部品として、図２において下側となる正面側に液晶パネルやタッチパネル等からなる表示モジュール１２を具え、背面側には、カメラモジュール５０やライトモジュール７０が搭載されている。なお、図示のケース３０は、複数のシャーシ３１，３２，３３，３４から構成している。これらシャーシは、ＡＢＳやポリカーボネート等の硬質樹脂や、マグネシウム合金のような金属板から構成することができる。ケース３０には、上記の他、電子部品として音声出力用のレシーバモジュールや着信等を振動で知らせるバイブレーションモジュール（何れも図示せず）を搭載することができる。
【００１５】
カメラモジュール５０は、図２及びその要部拡大図である図３に示すように、ＣＣＤやＣＭＯＳの如き撮像素子とレンズ等を上面が開口した筒体５６に収容して構成される。撮像素子は、シャーシ３２上に取り付けられた基板１４に実装されると共に、筒体５６の先端は、シャーシ３１に形成されたカメラ用孔３５に装着されている。そして、シャーシ３１を挟んで、筒体５６と対向するように透明保護パネル５２が装着されている。筒体５６及び透明保護パネル５２は、両面テープ８０，８２によってシャーシ３１に貼着されている。電子機器１０に防水性が要求される場合には、透明保護パネル５２とシャーシ３１とを貼着する両面テープ８２は、防水性にすぐれるテープを採用することが望ましい。
【００１６】
なお、カメラモジュール５０は、筒体５６の先端に直接透明保護パネル５２を装着した構造のものであってもよい。
【００１７】
透明保護パネル５２は、図３に示すように、背面側の周面に段部５４が形成されており、この段部５４に装飾用リング６０が当接するよう嵌められる。装飾用リング６０は、図１に示すように、電子機器１０の背面側から視認されるリング部６２とリング部６２からケース３０に向けて凹み、外周側に向けて広がる鍔部６４を有している。リング部６２は、装着状態にて透明保護パネル５２の段部５４と当接し、鍔部６４は、ケース３０に形成された受部３７に侵入する。なお、鍔部６４は、リング部６２の外周全体に亘って環状に形成することもできるし、リング部６２の周面の一部から突出するよう形成してもよい。
【００１８】
本実施形態では、装飾用リング６０は、透明保護パネル５２の段部５４に載せているだけで、両面テープによる貼着や接着剤による接着等は行なっていない。このため、組立工程の簡略化や部品点数の削減を達成できる。しかしながら、必要に応じて、これらを貼着や接着等することもできる。
【００１９】
また、図示の実施形態では、鍔部６４は、ケース３０には当接せず、受部３７に対して隙間Ｓを存した状態で装着されている。これにより、装飾用リング６０と透明保護パネル５２、又は、装飾用リング６０と鍔部６４とカバー２０のカメラ用開口２２との間から水や埃等の異物が侵入した場合でも、隙間Ｓにこれら異物が滞留し、たとえば透明保護パネル５２とケース３０との間からケース３０の内部に侵入し難くできる。また、鍔部６４と受部３７との間に隙間Ｓを形成することで、装飾用リング６０や受部３７の寸法に多少のバラツキがあっても装飾用リング６０を装着できるから歩留りを向上させることができる。
【００２０】
ライトモジュール７０は、ケース３０に搭載されたＬＥＤ７６と、ＬＥＤ７６からの光を導出する光透過性の導光パネル７２を具える。図示の実施形態では、ＬＥＤ７６は、シャーシ３２に取り付けられた基板１５に実装されている。シャーシ３１には、ＬＥＤ７６と対向する位置にライト用孔３６が形成されており、ライト用孔３６には、導光パネル７２が装着されている。
【００２１】
導光パネル７２は、肉厚の導光部７３と、導光部７３の周縁に突設された鍔部７４とを有する。また、導光パネル７２には、ＬＥＤ７６側にシャーシ３１のライト用孔３６に位置決めするリブ７５が突設されている。
【００２２】
上記導光パネル７２は、鍔部７４をシャーシ３１のライト用孔３６の周縁に載せ、リブ７５がライト用孔３６に嵌まるようにしてシャーシ３１に装着される。なお、図示の実施形態では、鍔部７４とライト用孔３６の周縁は両面テープ８４で貼着している。
【００２３】
そして、装飾用リング６０が透明保護パネル５２に装着され、導光パネル７２がシャーシ３１に装着された状態で、ケース３０の背面側からカバー２０が取り付けられる。
【００２４】
カバー２０は、図１乃至図３に示すように、ケース３０の背面の全体及び側面を覆っている。カバー２０には、装飾用リング６０のリング部６２及び導光パネル７２の導光部７３が臨出する開口２２，２４が形成されている。たとえば、カバー２０は、図１及び図２に示すように、ビス１８によってシャーシ３１に装着することができる。もちろん、カバー２０は、フックなどの係合手段によって装着することもできる。
【００２５】
図２及び図３に示すように、本実施形態では、カバー２０は、外面を形成する第１部材２６と、第１部材２６の内面を形成する第２部材２８から構成している。第１部材２６は、エラストマーの如き弾性を有する部材であり、第２部材２８は、ポリカーボネートの如き硬質樹脂である。カバー２０は、第１部材２６と第２部材２８をたとえば二色成形することで作製することができる。もちろん、カバー２０の外面の一部に第２部材２８が現れるようにしても構わない。
【００２６】
第１部材２６に好適な弾性を有する部材として、ポリスチレン系、ポリオレフィン系、塩化ビニル系、ポリウレタン系、ポリエステル系、ポリアミド系、ポリブタジエン系の熱可塑性のエラストマーや、フェノール系、メラミン系、不飽和ポリエステル系、エポキシケイ、ポリウレタン系、シリコーン系の熱硬化性のエラストマーを例示することができる。
【００２７】
第２部材２８に好適な硬質樹脂として、ポリカーボネート、ポリ塩化ビニル、ポリエチレン、ＡＢＳを例示することができる。
【００２８】
そして、本実施形態においては、カメラモジュール５０の透明保護パネル５２と装飾用リング６０を臨出させる位置に形成されたカメラ用開口２２の周縁は、第１部材２６によって形成している。カメラ用開口２２は、装飾用リング６０のリング部６２を挿通可能であるが、鍔部６４は通過させない大きさに形成される。
【００２９】
また、ライトモジュール７０の導光パネル７２を臨出させる位置に形成されたライト用開口２４の周縁は、第１部材２６及び第２部材２８により形成している。ライト用開口２４は、導光パネル７２の導光部７３は挿通可能であるが、鍔部７４を通過させない大きさに形成される。
【００３０】
然して、上記構成のカバー２０をケース３０に装着する。カバー２０は、カメラ用開口２２に装飾用リング６０のリング部６２を通し、ライト用開口２４に導光パネル７２の導光部７３を通して、ケース３０にビス止めすることで取り付けられる。
【００３１】
このとき、図２及び図３に示すように、カメラ用開口２２は、第１部材２６によりその周縁が形成されているから、装飾用リング６０の鍔部６４は、第１部材２６によってケース３０側に押圧されることになる。また、ライト用開口２４は、第２部材２８により構成される周縁と対向する。
【００３２】
第１部材２６は、弾性を有する部材であるから、鍔部６４と当接することで弾性変形しつつ、鍔部６４をケース３０側に押し当てられる。そして、装飾用リング６０は、リング部６２がカメラモジュール５０の透明保護パネル５２の段部５４と当接して密着し、鍔部６４が第１部材２６によって押圧されることで挟まれて取り付けられる。
【００３３】
その結果、レシーバモジュールやスピーカモジュールによる音声出力やバイブレーションモジュールが、カバー２０を振動させることになっても、第２部材２８は振動するが、第１部材２６は弾性を有する部材であるためその振動は減衰するから、装飾用リング６０の振動やビビリ音の発生を抑えることができる。特に、電子機器１０の背面側に設けられたスピーカモジュールは、ビビリ音が特に発生させやすく、本発明のように、スピーカモジュールの配置位置に併せて電子機器１０の背面側に、上述の部品およびカバー２０を設けることが好適である。
【００３４】
第１部材２６は、弾性を有する部材であるから、装飾用リング６０の寸法にバラツキがあっても、その誤差を弾性変形によって吸収することができる利点がある。
【００３５】
また、第１部材２６は、その弾性により、装飾用リング６０を押さえ付けるから、装飾用リング６０は、両面テープや接着剤等により透明保護パネル５２やシャーシ３１に貼着や接着しなくてもよい。これにより、組立工程や部品点数を削減できる。このような構成は、ユーザ側でカバー２０を取り外さない電子機器１０に特に好適である。
【００３６】
なお、装飾用リング６０を両面テープや接着剤等により透明保護パネル５２やシャーシ３１に貼着や接着した場合であっても、第１部材２６と装飾用リング６０との間に生ずるビビリ音の発生を抑えることができることは勿論である。このような構成は、ユーザ側でバッテリやＳＩＭカード、メモリカード等を着脱するためにカバー２０を取り外す電子機器１０に特に好適である。また、本構成では、装飾用リング６０の貼着力や接着力が弱まったとしても、第１部材２６の弾性により、装飾用リング６０のぐらつきを抑えることができる利点もある。
【００３７】
また、本発明に係る電子機器１０は、カバー２０の少なくとも外面の一部を、弾性を有する部材である第１部材２６とすることで、電子機器１０の手触りを柔らかなものとすることができると共に、カバー２０の特に角部にまで第１部材２６を用いることで、電子機器１０の落下等の衝撃による破損を低減することもできる。
【００３８】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３９】
たとえば、鍔部の形成される部品として、装飾用リング６０を例示しているが、上記実施形態で説明したライト用開口２４の周縁を第１部材２６によって構成することで、導光パネル７２の振動やビビリ音の発生を抑えることもできる。また、赤外線通信に用いられる受光素子や発光素子のカバー、操作ボタンなどに本発明を適用することも勿論可能である。
【符号の説明】
【００４０】
１０  電子機器
２０  カバー
２２  カメラ用開口（開口）
２６  第１部材（弾性を有する部材）
３０  ケース
６０  装飾用リング（部品）
６４  鍔部
【図１】
2015186179.tif 000003
【図２】
2015186179.tif 000004
【図３】
2015186179.tif 000005